(57)【要約】  巻きパッケージから材料のストランドを連続的に巻き戻すためのスプライシング装置。
2014532606.tif 000002
【特許請求の範囲】
【請求項１】
材料のストランドを巻き戻すための機械であって、
第１のパッケージ巻き戻しステーション（１１０−１）であって、当該第１のパッケージ巻き戻しステーション（１１０−１）に装填された第１のパッケージ（１１２−１）から下流送り込み位置（１０９）へとストランドを巻き戻すように構成され、当該第１のパッケージ巻き戻しステーション（１１０−１）は、第１の回転軸（１１３−１）と、第１のストランドガイドと、を含む、第１の無給電回転アーム（１１９−１）を有する第１の装置を含み、前記第１の回転軸（１１３−１）の周りにおける前記第１の回転アーム（１１９−１）の回転が、前記第１のストランドガイドの遠位端の第１の円軌道を画定する、という第１のパッケージ巻き戻しステーション（１１０−１）と、
第２のパッケージ巻き戻しステーション（１１０−２）であって、当該第２のパッケージ巻き戻しステーション（１１０−２）に装着された第２のパッケージ（１１２−２）から前記下流送り込み位置（１０９）へとストランドを巻き戻すように構成され、当該第２のパッケージ巻き戻しステーションは、第２の回転軸（１１３−２）と、第２のストランドガイドと、を含む、第２の無給電回転アーム（１１９−２）を有する第２の装置を含み、前記第２の回転軸（１１３−２）の周りにおける前記第２の回転アーム（１１９−２）の回転が、前記第２のストランドガイドの遠位端の第２の円軌道を画定する、という第２のパッケージ巻き戻しステーション（１１０−２）と、
第１のストランド接触面（１２２−１）を有する第１の折り畳み式スプライストリガー（１２０−１）であって、前記第１の回転軸（１１３−１）と前記第２の回転軸（１１３−２）との間において周方向に配設される、第１の折り畳み式スプライストリガー（１２０−１）と、を備える、機械。
【請求項２】
前記第１の折り畳み式スプライストリガー（１２０−１）は、前記第１の円軌道と前記第２の回転軸との間に配設されている、請求項１に記載の機械。
【請求項３】
前記第１の折り畳み式スプライストリガー（１２０−１）は、前記第１の円軌道と前記第２の円軌道との間に配設されている、請求項４に記載の機械。
【請求項４】
前記第１の円軌道は、前記下流送り込み位置（１０９）から径方向に最も遠い位置にある第１の円軌道最遠点を有し、
前記第１のストランド接触面は、前記下流送り込み位置（１０９）から径方向に最も遠い位置にある第１のストランド接触面最遠点を有し、
前記第１のストランド接触面最遠点は、前記第１の円軌道最遠点よりも、前記下流送り込み位置（１０９）から径方向に遠い位置にある、請求項１〜３のいずれか一項に記載の機械。
【請求項５】
スプライスラップハウジング（１３０）を更に備え、当該スプライスラップハウジングは、前記第１の折り畳み式スプライストリガー（１２０−１）と前記第２の円軌道との間において周方向に配設されている、請求項１〜４のいずれか一項に記載の機械。
【請求項６】
前記スプライスラップハウジング（１３０）は、前記下流送り込み位置（１０９）に径方向に最も近い位置にあるスプライスラップ接触面最近点を有するスプライスラップストランド接触面（１３２）を有し、
前記スプライスラップ接触面最近点は、前記第１のストランド接触面最遠点よりも、前記下流送り込み位置（１０９）に径方向に近い位置にある、請求項７に記載の機械。
【請求項７】
前記第２の円軌道は、前記下流送り込み位置（１０９）から径方向に最も遠い位置にある第２の円軌道最遠点を有し、
前記第２の円軌道最遠点は、前記スプライスラップ接触面最近点よりも、前記下流送り込み位置から径方向に遠い位置にある、請求項８に記載の機械。
【請求項８】
前記第１の折り畳み式スプライストリガー（１２０−１）は、第１の倒伏方向を有し、当該第１の倒伏方向が前記下流送り込み位置（１０９）の方向に実質的に配向されるように、前記機械に配設されている、請求項１〜７のいずれか一項に記載の機械。
【請求項９】
前記第１の倒伏方向は、前記下流送り込み位置（１０９）の方向に完全に配向されている、請求項８に記載の機械。
【発明の詳細な説明】
【技術分野】
【０００１】
本開示は、巻きパッケージから材料のストランドを巻き戻すための装置に関する。具体的には、本開示は、巻きパッケージから材料のストランドを連続的に巻き戻すためのスプライシング装置に関する。
【背景技術】
【０００２】
引き出し装置は、予めコアに巻かれている材料のストランドの巻き戻しに使用される。予め巻かれたコアは、パッケージと呼ばれる。引き出し装置はストランドを巻き戻してから、巻き戻したストランドを下流装置に供給する。引き出し装置は、下流装置に連続的に供給しつつ、次々にパッケージを巻き戻すことができる。各パッケージは、先端と、終端とを有する、単一の連続的な材料のストランドを有する。引き出しプロセスにおいて、第１のパッケージの終端は、第２のパッケージの先端に接合され得る。
【０００３】
引き出し装置は、第１の（稼動）パッケージの巻き戻しを終了すると、終端を引き抜き、これにより、第２の（待機）パッケージの先端が引き抜かれ、第２のパッケージの巻き戻しを開始する。待機パッケージが、新たな稼動パッケージとなる。終了した第１のパッケージは、新たな待機パッケージに交換できる。端部を接続し、パッケージを交換するこのプロセスは、無制限に繰り返されてよい。したがって、引き出しプロセスでは、パッケージを交換するために下流装置を停止させる必要はない。
【発明の概要】
【発明が解決しようとする課題】
【０００４】
ある種の引き出し装置は、回転アームを使用する。各アームは、１つ以上のストランドガイドを有して、ストランドを方向付ける。この種の引き出し装置の場合、稼動パッケージから待機パッケージへと巻き戻しをライン速度で移動させるには、ストランドを適切に送出して、パッケージ、ストランドガイド、及び下流装置に対して適切な方向にストランドを維持できるようにする必要がある。
【課題を解決するための手段】
【０００５】
本開示の実施形態は、巻き戻しプロセス中に稼動パッケージから待機パッケージへとストランドを移動させる際に、スプライシング装置を使用して、材料のストランドを適切に送出する。スプライシング装置を使用すると、パッケージ、ストランドガイド、及び下流装置に対してストランドを適切な方向に維持できる。これは、回転アームを使用してストランドを巻き戻すプロセスにとって特に有用である。結果として、引き出し装置は、下流装置に連続的に供給しつつ、次々にパッケージを巻き戻すことができる。
【図面の簡単な説明】
【０００６】
【図１】回転アームを使用する巻き戻しプロセス中に稼動パッケージから待機パッケージへとストランドを移動させる際に、材料のストランドを送出するためのスプライシング装置を備える機械の平面図を示す。
【図２】図１のスプライシング装置で使用されるスプライストリガーの等角図を示す。
【図３】図１のスプライシング装置の一部の平面図を示す。
【図４Ａ】図３のスプライシング装置の要素の周方向間隔の平面図を示す。
【図４Ｂ】図３のスプライシング装置の要素の径方向間隔の平面図を示す。
【図５Ａ】図１のスプライシング装置内を縫うように進む、接合ストランドの平面図を示す。
【図５Ｂ】稼動パッケージから待機パッケージへと接合ストランドを移動させる際の、図５Ａの接合ストランドの平面図を示す。
【図５Ｃ】接合ストランドを待機パッケージに移動させた後の、図５Ｂの接合ストランドの平面図を示す。
【図５Ｄ】新たな待機パッケージに接合された、図５Ｃのストランドの平面図を示す。
【発明を実施するための形態】
【０００７】
本開示の実施形態は、巻き戻しプロセス中に稼動パッケージから待機パッケージへとストランドを移動させる際に、スプライシング装置を使用して、材料のストランドを適切に送出する。スプライシング装置を使用すると、パッケージ、ストランドガイド、及び下流装置に対してストランドを適切な方向に維持できる。これは、回転アームを使用してストランドを巻き戻すプロセスにとって特に有用である。結果として、引き出し装置は、下流装置に連続的に供給しつつ、次々にパッケージを巻き戻すことができる。
【０００８】
本開示の実施形態は、様々な寸法及び形状の、異なる材料で作製された、あらゆる種類のストランド（及びバンド）で使用されてよい。例えば、本開示の実施形態は、ひも、弾性体、金属ワイヤなどの巻き戻しに使用されてよい。
【０００９】
図１は、機械１００の平面図を示している。機械１００は、回転アームを使用して、巻きパッケージから材料のストランドを巻き戻すための引き出し装置を含む。図１の回転アームのいずれか又は両方が、参照することにより本明細書に組み込まれる、２０１１年１１月４日にＣａｓｔｉｌｌｏらの名前の代理人整理番号（ＴＢＤ）でＴｈｅ  Ｐｒｏｃｔｅｒ  ＆  Ｇａｍｂｌｅ  Ｃｏｍｐａｎｙによって出願された、「Ａｐｐａｒａｔｕｓ  ｗｉｔｈ  Ｒｏｔａｔａｂｌｅ  Ａｒｍ  ｆｏｒ  Ｕｎｗｉｎｄｉｎｇ  Ｓｔｒａｎｄｓ  ｏｆ  Ｍａｔｅｒｉａｌ」という表題の米国特許出願に記載の回転アームであり得ることが想到される。機械１００はまた、巻き戻しプロセス中に稼動パッケージから待機パッケージへとストランドを移動させる際に、材料のストランドを送出するためのスプライシング装置を含む。
【００１０】
引き出し装置は、フレーム１０５に取り付けられた、第１のパッケージ巻き戻しステーション１１０−１と、第２のパッケージ巻き戻しステーション１１０−２とを含む。第１のパッケージ巻き戻しステーション１１０−１は、パッケージを保持するための第１のホルダー１１１−１を含み、第２のパッケージ巻き戻しステーション１１０−２は、パッケージを保持するための第２のホルダー１１１−２を含む。
【００１１】
図１では、第１のパッケージ１１２−１は、第１のパッケージ巻き戻しステーション１１０−１に装填される。第１のパッケージ１１２−１は、円筒形コアに巻かれた材料のストランドを含む。第１のパッケージ１１２−１はまた、円筒形の全体形状を有し、実質的に平らな端部と、円筒形の周辺部を囲む曲面である側部１１６−１とを備える。第１のパッケージ１１２−１の前端は、下流送り込み位置１０９に向かって斜めになっている。第１の回転アーム１１９−１は、第１のパッケージ１１２−１から下流送り込み位置１０９へとストランドを巻き戻すように構成される。
【００１２】
更に、図１では、第２のパッケージ１１２−２は、第２のパッケージ巻き戻しステーション１１０−２に装填される。第２のパッケージ１１２−２は、円筒形コアに巻かれた材料のストランドを含む。第２のパッケージ１１２−２はまた、円筒形の全体形状を有し、実質的に平らな端部と、円筒形の周辺部を囲む曲面である側部１１６−２とを備える。第２のパッケージ１１２−２の前端は、下流送り込み位置１０９に向かって斜めになっている。第２の回転アーム１１９−２は、第２のパッケージ１１２−２から下流送り込み位置１０９へとストランドを巻き戻すように構成される。
【００１３】
スプライシング装置は、第１の折り畳み式スプライストリガー１２０−１と、スプライスラップハウジング１３０と、第２のスプライストリガー１２０−２と、保持アーム１４１とを含む。折り畳み式スプライストリガー１２０−１及び１２０−２、並びにスプライスラップハウジング１３０については後述する。
【００１４】
スプライスラップハウジング１３０は接触面１３２を有する。スプライスラップハウジング１３０は、剛性かつ頑強である様々な固体材料で作製されてよい。例えば、スプライスラップハウジング１３０は、プラスチック、金属、セラミック、木材などで作製されてよい。接触面１３２は、硬質である様々な固体材料で作成されてよい。例えば、ストランドガイドは、プラスチック、金属、セラミックなどから作製されてよい。
【００１５】
磁石１４４は、保持アーム１４４の遠位端に取り付けられる。磁石１４４は、第２の回転アーム１１９−２の遠位端に取り付けられた鉄鋼材片１４５−２を引き付ける。保持アーム１４４は、第２のパッケージ巻き戻しステーション１１０−２に向かって揺動する。したがって、保持アーム１４４は、磁力を使用して、第２の回転アーム１１９−２を所定の位置に保持できる。鉄鋼材片１４５−１はまた、第１の回転アーム１１９−１の遠位端に取り付けられる。保持アーム１４４はまた、第１のパッケージ巻き戻しステーション１１０−１に向かって揺動して、第１の回転アーム１１９−１を所定の位置に保持してよい。
【００１６】
図２は、図１のスプライシング装置で使用される第１の折り畳み式スプライストリガー１２０−１の等角図を示している。図２Ｂでは、折り畳み式スプライストリガー１２０−１は、その直立（垂直）位置にある。スプライストリガー１２０−１は、本体１２１−１と、ピンとを含む。本体１２１−１はスロット１２５−１を有し、ピンはスロット１２５−１内に設定される。ピンは、第１の接触面１２２−１と、キャップ１２４−１とを有する。折り畳み式スプライストリガー１２０−１は、スロット１２５−１内でピンが（スプライシング中の所望のストランド張力及びストランドの破壊強度に基づいた）所定の力で前方に引かれると倒れるように構成されている。折り畳み式スプライストリガー１２０−１が倒れると、ピンは、軸１２６−１の周りを回転する（１２７−１）ことにより、スロット１２５−１内で倒伏（水平）位置１２９−１へと移動するように構成されている。倒伏位置１２９−１では、ピンは、第１の倒伏方向１２８−１を指す。折り畳み式スプライストリガー１２０−１が倒れると、その直立位置にリセットされてよい。
【００１７】
折り畳み式スプライストリガー１２０−１は、剛性かつ頑強である様々な固体材料で作製されてよい。例えば、折り畳み式スプライストリガー１２０−１は、プラスチック、金属、セラミック、木材などから作製されてよい。第１の接触面１２２−１は、硬質である様々な固体材料で作製されてよい。例えば、ストランドガイドは、プラスチック、金属、セラミックなどから作製されてよい。折り畳み式スプライストリガー１２０−１は、所定の力で倒れるようにバネを使用して構成されてよい。第２の折り畳み式スプライストリガー１２０−２は、第１の折り畳み式スプライストリガー１２０−１と同様の方法で構成されてよい。
【００１８】
図３は、図１のスプライシング装置の一部の平面図である。図３は、第１の位置１１９−１ａにあり、別の位置１１９−１ｂへと第１の回転軸１１３−１の周りを回転した、図１の第１の回転アーム１１９−１を示している。図３では、第１の回転アーム１１９−１は無給電アームである。第１の回転アーム１１９−１は、図１の第１のパッケージ１１２−１から下流送り込み位置１０９へとストランドを巻き戻すように構成される。第１の回転アーム１１９−１は第１のストランドガイドを含み、第１の回転軸１１３−１の周りにおける第１の回転アーム１１９−１の回転は、第１のストランドガイドの遠位端の第１の円軌道１１４−１を画定する。
【００１９】
図３はまた、スプライシング装置を通るストランドが接触する第１の接触面１２２−１の一部によって形成されるラップ角１２３−１を有する、第１の折り畳み式スプライストリガー１２０−１の接触面１２２−１を示している。第１の折り畳み式スプライストリガー１２０−１は、下流送り込み位置１０９の方向を実質的に指す、第１の倒伏方向１２８−１を有する。本明細書において、「実質的に」という語が方向に適用される場合、「実質的に」という語は、指定した方向の０〜３０°（つまり、この範囲内の任意の整数値）内であることを意味する。
【００２０】
図３は、スプライシング装置を通るストランドが接触する接触面１３２の一部によって形成されるラップ角１３３を有する、スプライスラップハウジング１３０の接触面１３２を更に示している。ラップ角１３３は、２７５〜３１５度であってよい。
【００２１】
図３は、スプライシング装置を通るストランドが接触する第２の接触面１２２−２の一部によって形成されるラップ角１２３−２を有する、第２の折り畳み式スプライストリガー１２０−２の接触面１２２−２を示している。第２の折り畳み式スプライストリガー１２０−２は、下流送り込み位置１０９の方向を実質的に指す、第２の倒伏方向１２８−２を有する。
【００２２】
図３はまた、第２の位置１１９−２ａにあり、別の位置１１９−２ｂへと第２の回転軸１１３−２の周りを回転した、図１の第２の回転アーム１１９−２を示している。図３では、第２の回転アーム１１９−２は無給電アームである。第２の回転アーム１１９−２は、図１の第２のパッケージ１１２−２から下流送り込み位置１０９へとストランドを巻き戻すように構成される。第２の回転アーム１１９−２は第２のストランドガイドを含み、第２の回転軸１１３−２の周りにおける第２の回転アーム１１９−２の回転は、第２のストランドガイドの遠位端の第２の円軌道１１４−２を画定する。
【００２３】
図４Ａは、図３のスプライシング装置の要素の周方向間隔の平面図を示している。本開示を通して、周方向位置は、下流送り込み位置１０９から放射状に延びる基準線に対する、要素の相対位置を指す。例えば、第１の基準線が下流送り込み位置から放射状に延び、第２の基準線が下流送り込み位置から放射状に延び、基準点が、第１の基準線及び第２の基準線によって囲まれる扇形内に存在する場合、基準点は、第１の基準線と第２の基準線との間において周方向に配設される。また、本開示を通して、径方向間隔１７０は、下流送り込み位置１０９からの距離に関する要素の位置を指し、１７１は径方向内側（下流送り込み位置１０９に比較的より近い）を指し、１７１は径方向外側１７９（下流送り込み位置１０９から比較的より遠い）を指す。
【００２４】
図４Ａは、扇形１６１、１６２、１６３、１６４、及び１６５の境界を画定する、基準線１５１、１５２、１５３、及び１５４を含む。基準線１５１は、下流送り込み位置１０９から延びて、第１の円軌道１１４−１上の径方向最遠点１１５−１ｂを通過する。基準線１５１は、扇形１６１の片側を画定する。基準線１５２は、下流送り込み位置１０９から延びて、スプライスラップハウジング１３０の接触面１３２の片側にある周方向最遠点１３５−１を通過する。基準線１５１及び１５２は、扇形１６２の両側を画定する。基準線１５３は、下流送り込み位置１０９から延びて、スプライスラップハウジング１３０の接触面１３２の反対側にある周方向最遠点１３５−２を通過する。基準線１５２及び１５３は、扇形１６３の両側を画定する。基準線１５４は、下流送り込み位置１０９から延びて、第２の円軌道１１４−２上の径方向最遠点１１５−２ｂを通過する。基準線１５４は、扇形１６５の片側を画定する。
【００２５】
図４Ａでは、第１の円軌道１１４−１は扇形１６１内に配設され、第１の折り畳み式スプライストリガー１２０−１は扇形１６２内に配設され、スプライスラップハウジング１３０は扇形１６３内に配設され、第２の折り畳み式スプライストリガー１２０−２は扇形１６４内に配設され、第２の円軌道１１４−２は扇形１６５内に配設される。
【００２６】
図４Ｂは、図３のスプライシング装置の要素の径方向間隔の平面図を示している。第１の円軌道１１４−１は、距離１８１で測定した、下流送り込み位置１０９から最も遠い径方向外側１７９である最遠点１１５−１ｂを有する。第１の折り畳み式スプライストリガー１２０−１は、距離１８２で測定した、下流送り込み位置１０９から最も遠い径方向外側１７９である、第１の接触面１２２−１上の最遠点１２２−１ｂを有する。スプライスラップハウジング１３０は、距離１８３で測定した、下流送り込み位置１０９に最も近い径方向内側１７１である、ストランド接触面１３２上の最近点１３２−１ａを有する。第２の折り畳み式スプライストリガー１２０−２は、距離１８４で測定した、下流送り込み位置１０９から最も遠い径方向外側１７９である、第２の接触面１２２−１上の最遠点１２２−２ｂを有する。第２の円軌道１１４−２は、距離１８５で測定した、下流送り込み位置１０９から最も遠い径方向外側１７９である最遠点１１５−２ｂを有する。
【００２７】
距離１８２は、距離１８１及び距離１８３よりも大きい。図４Ｂでは、距離１８１は距離１８３よりも大きい。ただし、様々な実施形態では、必ずしもこの通りでなくてもよい。距離１８４は、距離１８３及び距離１８５よりも大きい。図４Ｂでは、距離１８５は距離１８３よりも大きい。ただし、様々な実施形態では、必ずしもこの通りでなくてもよい。図４Ｂでは、距離１８１は距離１８５と等しく、距離１８２は距離１８４と等しい。ただし、様々な実施形態では、必ずしもこの通りでなくてもよい。
【００２８】
図５Ａは、図１のスプライシング装置内を縫うように進む、接合ストランドの平面図を示しており、第１の巻き戻しステーション１１０−１内の第１のパッケージ１１２−１は稼動パッケージであり、第２の巻き戻しステーション１１０−２内の第２のパッケージ１１２−２は待機パッケージである。第１のパッケージ１１２−１は第１のストランドを有し、第２のパッケージ１１２−２は第２のストランドを有する。第１のストランドの終端は第２のストランドの先端に接合されて、接合ストランドを形成する。
【００２９】
接合ストランドは、多数の経路脚部を有する稼動パッケージストランド経路１９０−ａを使用して送出される。図５Ａ〜５Ｄの実施形態では、各経路脚部が実質的に線状として示されているが、様々な実施形態では、必ずしもこの通りでなくてもよい。ストランド経路１９０−ａは、下流送り込み位置１０９から第１の円軌道１１４−１上の第１の回転アームの第１のストランドガイドまでの第１の経路脚部１９１−ａを含む。（第１のパッケージ１１２−１のコア付近に配設された）第１のストランドの終端から、接合ストランドが第１の折り畳み式スプライストリガー１２０−１の第１の接触面１２２−１の周囲に配設され、第２の経路脚部１９２−ａを形成する。第１の接触面１２２−１から、接合ストランドはまた、スプライスラップハウジング１３０の接触面１３２の周囲に配設され、第３の経路脚部１９３−ａを形成する。スプライスラップハウジング１３０の接触面１３２から、接合ストランドは更に第２の円軌道１１４−２上の第２の回転アームの第２のストランドガイドに配設され、第４の経路脚部１９４−ａを形成する。接合ストランドが巻き戻され、稼動第１のパッケージ１１２−１から待機第２のパッケージ１１２−２へと移動させられると、ストランドは、後述するように、スプライシングの一環として、ストランド経路１９０−ａに従い、その後、変更する。
【００３０】
図５Ｂは、第１のパッケージ巻き戻しステーション１１０−１内のこれまでの稼動パッケージから第２のパッケージ巻き戻しステーション１１０−２内の待機パッケージへと移動させられた際のスプライシングストランド経路１９０−ｂを含む、図５Ａの接合ストランドの平面図を示している。（第１の巻き戻しステーション１１０−１内にコアを残して）稼動パッケージが完全に巻き戻されると、接合ストランドは第１の回転アームのストランドガイドから引き離され、第１の巻き戻しステーション１１０−１内のコアから引き離され、次いで、接合ストランドは、接合ストランドにおける張力によって下流送り込み位置１０９の方向へと引かれる。これにより、第１の経路脚部１９１−ａが除去され、第１の折り畳み式スプライストリガー１２０−１の第１の接触面１２２−１から下流送り込み位置１０９までの新たな第２の経路脚部１９２−ｂが作られる。
【００３１】
ストランドにおける張力によって、第１の折り畳み式スプライストリガー１２０−１のピンが、下流送り込み位置１０９の方向である倒伏方向に引かれる。張力によって第１の折り畳み式スプライストリガー１２０−１の所定の力に達する引張力がもたらされると、第１の折り畳み式スプライストリガー１２０−１が倒れる。ここにおいても、接合ストランドにおける張力によって接合ストランドが下流送り込み位置１０９の方向に引かれ、接合ストランドは、スプライスラップハウジング１３０の接触面１３２から解かれる。これにより、第２の経路脚部１９２−ｂ及び第３の経路脚部１９３−ａが除去される。接合ストランドは、第２のパッケージ１１２−２である待機パッケージへと移動させられる。
【００３２】
図５Ｃは、接合ストランドが第２のパッケージ１１２−２へと移動させられた後の、待機パッケージストランド経路１９０−ｃを含む、図５Ｂの接合ストランドの平面図を示している。接合ストランドが第２のパッケージ１１２−２へと移動させられると、下流送り込み位置１０９から第２の円軌道１１４−２上の第２の回転アームの第２のストランドガイドまでの新たな第４の経路脚部１９４−ｃが作られる。これまでは待機パッケージであった第２のパッケージ１１２−２が、新たな稼動パッケージとなる。
【００３３】
図５Ｄに示されるように、第２のパッケージ１１２−２が新たな稼動パッケージとなると、第１のパッケージ１１２−１のコアを除去でき、新たな待機パッケージ１１２−３を新たな待機パッケージとして第１のパッケージ巻き戻しステーション１１０−１に追加できる。第２のパッケージ１１２−２は第２のストランドを有し、第３のパッケージ１１２−３は第３のストランドを有する。第２のストランドの終端は第３のストランドの先端に接合されて、新たな接合ストランドを形成する。
【００３４】
新たな接合ストランドは、多数の経路脚部を有する新たな稼動パッケージストランド経路１９０−ｄを使用して送出される。ストランド経路１９０−ｄは、下流送り込み位置１０９から第２の円軌道１１４−２上の第２の回転アームの第２のストランドガイドまでの第４の経路脚部１９４−ｃを含む。（第２のパッケージ１１２−２のコア付近に配設された）第２のストランドの終端から、新たな接合ストランドが第２の折り畳み式スプライストリガー１２０−２の第２の接触面１２２−２の周囲に配設され、第５の経路脚部１９５−ｄを形成する。第２の接触面１２２−２から、新たな接合ストランドはまた、スプライスラップハウジング１３０の接触面１３２の周囲に配設され、第６の経路脚部１９６−ｄを形成する。スプライスラップハウジング１３０の接触面１３２から、新たな接合ストランドは更に第１の円軌道１１４−１上の第１の回転アームの第１のストランドガイドに配設され、第７の経路脚部１９７−ｄを形成する。新たな接合ストランドが巻き戻され、新たな稼動第２のパッケージ１１２−２から新たな待機第３のパッケージ１１２−３へと移動させられると、ストランドは、スプライシングの一環として、ストランド経路１９０−ｄに従い、その後、変更する。第２のパッケージ巻き戻しステーション１１０−２から第１のパッケージ巻き戻しステーション１１０−１へのスプライシングは、上記で第１のパッケージ巻き戻しステーション１１０−１から第２のパッケージ巻き戻しステーション１１０−２へのスプライシングについて教示した方法と同様の方法で実行される。
【００３５】
本開示の実施形態は、巻き戻しプロセス中に稼動パッケージから待機パッケージへとストランドを移動させる際に、スプライシング装置を使用して、材料のストランドを適切に送出する。スプライシング装置を使用すると、パッケージ、ストランドガイド、及び下流装置に対してストランドを適切な方向に維持できる。これは、回転アームを使用してストランドを巻き戻すプロセスにとって特に有用である。結果として、引き出し装置は、下流装置に連続的に供給しつつ、次々にパッケージを巻き戻すことができる。
【００３６】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００３７】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本明細書で開示又は特許請求される全ての発明に対する先行技術であることを容認するものではなく、あるいは、こうした文献が、単独で、又は他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００３８】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の「特許請求の範囲」で扱うものとする。
【図１】
2014532606.tif 000003
【図２】
2014532606.tif 000004
【図３】
2014532606.tif 000005
【図４Ａ】
2014532606.tif 000006
【図４Ｂ】
2014532606.tif 000007
【図５Ａ】
2014532606.tif 000008
【図５Ｂ】
2014532606.tif 000009
【図５Ｃ】
2014532606.tif 000010
【図５Ｄ】
2014532606.tif 000011
【国際調査報告】
2014532606.tif 000012
2014532606.tif 000013
2014532606.tif 000014